(57)【要約】  本発明は、情報処理端末から受信した経路探索条件、および、情報配信事業者を特定する情報配信事業者特定情報を満たす少なくとも１つの経路を作成し、当該経路を利用した場合に排出される温室効果ガスの排出量を当該経路ごとに算出し、当該経路と当該排出量とを含む経路探索結果を情報処理端末に送信し、情報処理端末からの経路選択要求を受信し、情報配信事業者特定情報にて特定された情報配信事業者に対応する記憶部に記憶された排出権量から、選択された経路に対応する排出量を差し引くことにより排出量の償却を行い、償却結果を情報処理端末に送信する。
2009157089.tif 000002
【特許請求の範囲】
【請求項１】
カーボンオフセットを希望する情報配信事業者が提供する情報配信サービスのエンドユーザーが所持する入力部と表示部とを少なくとも備える情報処理端末に、ネットワークを介して通信可能に接続された制御部と記憶部とを少なくとも備える経路探索装置であって、
上記記憶部は、
交通機関の時刻表データと道路網データとを少なくとも含む経路探索情報を記憶する経路探索情報記憶手段と、
上記交通機関ごとの一定距離あたりの温室効果ガスの排出量の算定基準を記憶した排出量算定基準記憶手段と、
上記情報配信事業者ごとに上記温室効果ガスの排出権量を記憶する排出権量記憶手段と、
を備え、
上記制御部は、
上記情報処理端末の上記入力部を介して入力された経路探索条件、および、上記情報配信事業者を特定する情報配信事業者特定情報を上記情報処理端末から受信する条件受信手段と、
上記条件受信手段にて受信した上記経路探索条件を満たす少なくとも１つの経路を、上記経路探索情報記憶手段に記憶された上記経路探索情報を用いて作成する経路作成手段と、
上記排出量算定基準記憶手段に記憶された上記算定基準を用いて、上記経路作成手段にて作成された少なくとも１つの上記経路を利用した場合に排出される上記排出量を当該経路ごとに算出する排出量算出手段と、
上記経路作成手段にて作成された少なくとも１つの上記経路と、上記排出量算出手段にて当該経路ごとに算出された上記排出量とを含む経路探索結果を、上記情報処理端末に送信することにより上記表示部に表示させる経路探索結果表示手段と、
上記経路探索結果表示手段にて上記情報処理端末の上記表示部に表示された上記経路と上記排出量とに基づき、上記情報処理端末の上記入力部を介して選択された上記経路を要求する経路選択要求を上記情報処理端末から受信する経路選択受信手段と、
上記経路選択受信手段にて上記経路選択要求を受信した場合、上記条件受信手段にて受信した上記情報配信事業者特定情報にて特定された上記情報配信事業者に対応する上記排出権量記憶手段に記憶された上記排出権量から、上記経路選択要求にて選択された上記経路に対応する上記排出量を差し引くことにより、上記排出量の償却を行う排出量償却手段と、
上記排出量償却手段にて償却された上記排出量を少なくとも含む償却結果を、上記情報処理端末に送信することにより上記表示部に表示させる償却結果表示手段と、
を備えたことを特徴とする、経路探索装置。
【請求項２】
カーボンオフセットを希望する情報配信事業者に対するエンドユーザーが所持する入力部と表示部とを少なくとも備える情報処理端末に、ネットワークを介して通信可能に接続された制御部と記憶部とを少なくとも備える経路探索装置であって、
上記記憶部は、
交通機関の時刻表データと道路網データとを少なくとも含む経路探索情報を記憶する経路探索情報記憶手段と、
上記交通機関ごとの一定距離あたりの温室効果ガスの排出量の算定基準を記憶した排出量算定基準記憶手段と、
上記情報配信事業者ごとに上記温室効果ガスの排出権量を記憶する排出権量記憶手段と、
を備え、
上記制御部は、
上記情報処理端末の上記入力部を介して入力された、出発地または目的地に上記情報配信事業者の指定地点を含む経路探索条件を上記情報処理端末から受信する条件受信手段と、
上記条件受信手段にて受信した上記経路探索条件を満たす少なくとも１つの経路を、上記経路探索情報記憶手段に記憶された上記経路探索情報を用いて作成する経路作成手段と、
上記排出量算定基準記憶手段に記憶された上記算定基準を用いて、上記経路作成手段にて作成された少なくとも１つの上記経路を利用した場合に排出される上記排出量を当該経路ごとに算出する排出量算出手段と、
上記経路作成手段にて作成された少なくとも１つの上記経路と、上記排出量算出手段にて当該経路ごとに算出された上記排出量とを含む経路探索結果を、上記情報処理端末に送信することにより上記表示部に表示させる経路探索結果表示手段と、
上記経路探索結果表示手段にて上記情報処理端末の上記表示部に表示された上記経路と上記排出量とに基づき、上記情報処理端末の上記入力部を介して選択された上記経路を要求する経路選択要求を上記情報処理端末から受信する経路選択受信手段と、
上記経路選択受信手段にて上記経路選択要求を受信した場合、上記条件受信手段にて受信した上記経路探索条件にて特定された上記情報配信事業者の上記指定地点に対応する上記排出権量記憶手段に記憶された上記排出権量から、上記経路選択要求にて選択された上記経路に対応する上記排出量を差し引くことにより、上記排出量の償却を行う排出量償却手段と、
上記排出量償却手段にて償却された上記排出量を含む償却結果を、上記情報処理端末に送信することにより上記表示部に表示させる償却結果表示手段と、
を備えたことを特徴とする、経路探索装置。
【請求項３】
請求項１または２に記載の経路探索装置において、
上記排出権量は、１単位の排出権毎に管理されており、
上記排出量償却手段は、
上記経路選択受信手段にて複数の上記情報処理端末が上記経路選択要求を上記経路探索装置へ送信した場合、上記排出量算出手段にて当該経路ごとに算出された複数の上記排出量の積算量を計算する排出量積算手段と、
上記排出量積算手段にて計算された上記積算量と、上記排出権量記憶手段に記憶された上記１単位とを比較し、上記積算量が上記１単位を上回るかを判定する積算量判定手段と、
を更に備えたことを特徴とする、経路探索装置。
【請求項４】
請求項３の経路探索装置において、
上記排出権量は、上記情報配信事業者の購入済みまたは購入予定の上記排出権の量であり、
上記排出量償却手段は、
上記積算量判定手段にて上記積算量が上回ると判定された場合、
上記積算量から上記排出権の上記１単位分を差し引くことにより、上記積算量の上記１単位分の償却を行い、
上記積算量の上記１単位分の償却が行われた場合、上記排出権の購入を上記情報配信事業者へ要求する購入要求手段
を更に備えたことを特徴とする、経路探索装置。
【請求項５】
請求項３の経路探索装置において、
上記排出権量は、上記情報配信事業者の購入済みまたは購入予定の上記排出権の量であり、
上記償却結果表示手段は、
上記積算量判定手段にて上記積算量が上回ると判定された場合、
上記経路選択要求にて選択された上記経路に対応する上記排出量を上記情報配信事業者が償却できないため、上記経路作成手段にて作成された少なくとも１つの上記経路の上記情報処理端末への送信を停止することを示す上記償却結果を、上記情報処理端末に送信することにより上記表示部に表示させることを特徴とする、経路探索装置。
【請求項６】
請求項３の経路探索装置において、
上記排出権量は、上記情報配信事業者の購入済みまたは購入予定の上記排出権の量であり、
上記償却結果表示手段は、
上記積算量判定手段にて上記積算量が上回ると判定された場合、
上記償却結果において償却できなかった上記経路に対して上記表示部にて表示される表示内容および表示方法を変更して表示させることを特徴とする、経路探索装置。
【請求項７】
請求項３の経路探索装置において、
上記排出権量は、上記情報配信事業者の購入済みまたは購入予定の上記排出権の量であり、
上記償却結果表示手段は、
上記積算量判定手段にて上記積算量が上回ると判定された場合、
上記経路選択要求にて選択された上記経路に対応する上記排出量を上記情報配信事業者が償却できないため、上記経路探索条件を上記温室効果ガスを所定値以上排出する上記交通機関を使わない経路探索に変更したことを示す上記償却結果を、上記情報処理端末に送信することにより上記表示部に表示させることを特徴とする、経路探索装置。
【請求項８】
請求項２から７のいずれか一つに記載の経路探索装置において、
上記制御部は、
上記情報処理端末が上記指定地点にあることを確認する指定地点確認手段
を更に備え、
上記排出量償却手段は、
上記指定地点確認手段にて上記情報処理端末が上記指定地点にあることの確認が取れない場合、上記排出量償却手段における上記排出量の償却を取り消すことを特徴とする、経路探索装置。
【請求項９】
請求項１から８のいずれか一つに記載の経路探索装置において、
上記記憶部は、
上記情報配信事業者ごとに、上記経路探索結果および上記償却結果の少なくとも一部を関連付けた履歴情報を記憶する履歴情報記憶手段
を更に備え、
上記経路探索結果表示手段は、
上記経路探索結果の少なくとも一部を上記情報配信事業者ごとに上記履歴情報記憶手段に格納し、
上記償却結果表示手段は、
上記償却結果の少なくとも一部を上記情報配信事業者ごとに上記履歴情報記憶手段に格納することを特徴とする、経路探索装置。
【請求項１０】
カーボンオフセットを希望する情報配信事業者に対するエンドユーザーが所持する入力部と表示部とを少なくとも備える情報処理端末に、ネットワークを介して通信可能に接続された制御部と記憶部とを少なくとも備える経路探索装置において実行される経路探索方法であって、
上記記憶部は、
交通機関の時刻表データと道路網データとを少なくとも含む経路探索情報を記憶する経路探索情報記憶手段と、
上記交通機関ごとの一定距離あたりの温室効果ガスの排出量の算定基準を記憶した排出量算定基準記憶手段と、
上記情報配信事業者ごとに上記温室効果ガスの排出権量を記憶する排出権量記憶手段と、
を備えており、
上記制御部において実行される、
上記情報処理端末の上記入力部を介して入力された経路探索条件、および、上記情報配信事業者を特定する情報配信事業者特定情報を上記情報処理端末から受信する条件受信ステップと、
上記条件受信ステップにて受信した上記経路探索条件を満たす少なくとも１つの経路を、上記経路探索情報記憶手段に記憶された上記経路探索情報を用いて作成する経路作成ステップと、
上記排出量算定基準記憶手段に記憶された上記算定基準を用いて、上記経路作成ステップにて作成された少なくとも１つの上記経路を利用した場合に排出される上記排出量を当該経路ごとに算出する排出量算出ステップと、
上記経路作成ステップにて作成された少なくとも１つの上記経路と、上記排出量算出ステップにて当該経路ごとに算出された上記排出量とを含む経路探索結果を、上記情報処理端末に送信することにより上記表示部に表示させる経路探索結果表示ステップと、
上記経路探索結果表示ステップにて上記情報処理端末の上記表示部に表示された上記経路と上記排出量とに基づき、上記情報処理端末の上記入力部を介して選択された上記経路を要求する経路選択要求を上記情報処理端末から受信する経路選択受信ステップと、
上記経路選択受信ステップにて上記経路選択要求を受信した場合、上記条件受信ステップにて受信した上記情報配信事業者特定情報にて特定された上記情報配信事業者に対応する上記排出権量記憶手段に記憶された上記排出権量から、上記経路選択要求にて選択された上記経路に対応する上記排出量を差し引くことにより、上記排出量の償却を行う排出量償却ステップと、
上記排出量償却ステップにて償却された上記排出量を少なくとも含む償却結果を、上記情報処理端末に送信することにより上記表示部に表示させる償却結果表示ステップと、
を含むことを特徴とする、経路探索方法。
【請求項１１】
カーボンオフセットを希望する情報配信事業者に対するエンドユーザーが所持する入力部と表示部とを少なくとも備える情報処理端末に、ネットワークを介して通信可能に接続された制御部と記憶部とを少なくとも備える経路探索装置において実行される経路探索方法であって、
上記記憶部は、
交通機関の時刻表データと道路網データとを少なくとも含む経路探索情報を記憶する経路探索情報記憶手段と、
上記交通機関ごとの一定距離あたりの温室効果ガスの排出量の算定基準を記憶した排出量算定基準記憶手段と、
上記情報配信事業者ごとに上記温室効果ガスの排出権量を記憶する排出権量記憶手段と、
を備えており、
上記制御部において実行される、
上記情報処理端末の上記入力部を介して入力された、出発地または目的地に上記情報配信事業者の指定地点を含む経路探索条件を上記情報処理端末から受信する条件受信ステップと、
上記条件受信ステップにて受信した上記経路探索条件を満たす少なくとも１つの経路を、上記経路探索情報記憶手段に記憶された上記経路探索情報を用いて作成する経路作成ステップと、
上記排出量算定基準記憶手段に記憶された上記算定基準を用いて、上記経路作成ステップにて作成された少なくとも１つの上記経路を利用した場合に排出される上記排出量を当該経路ごとに算出する排出量算出ステップと、
上記経路作成ステップにて作成された少なくとも１つの上記経路と、上記排出量算出ステップにて当該経路ごとに算出された上記排出量とを含む経路探索結果を、上記情報処理端末に送信することにより上記表示部に表示させる経路探索結果表示ステップと、
上記経路探索結果表示ステップにて上記情報処理端末の上記表示部に表示された上記経路と上記排出量とに基づき、上記情報処理端末の上記入力部を介して選択された上記経路を要求する経路選択要求を上記情報処理端末から受信する経路選択受信ステップと、
上記経路選択受信ステップにて上記経路選択要求を受信した場合、上記条件受信ステップにて受信した上記経路探索条件にて特定された上記情報配信事業者の上記指定地点に対応する上記排出権量記憶手段に記憶された上記排出権量から、上記経路選択要求にて選択された上記経路に対応する上記排出量を差し引くことにより、上記排出量の償却を行う排出量償却ステップと、
上記排出量償却ステップにて償却された上記排出量を含む償却結果を、上記情報処理端末に送信することにより上記表示部に表示させる償却結果表示ステップと、
を含むことを特徴とする、経路探索方法。
【発明の詳細な説明】
【技術分野】
【０００１】
本発明は、経路探索装置および経路探索方法に関する。
【背景技術】
【０００２】
従来、情報配信システムにおいては、情報配信事業者が提供するエンドユーザーの興味対象場所（店舗、イベント会場、派遣先、不動産等）の情報配信が行われている。また、近年、携帯端末を用いてエンドユーザーに興味対象場所の情報とエンドユーザーの現在位置から興味対象場所への最適経路とを提供する情報配信システムが開発されている。【０００３】
例えば、特許文献１に記載のナビゲーションシステムでは、興味対象場所の情報を持つ第１の情報配信事業者用のコンピュータシステムと、地図配信と経路案内ができる第２の情報配信事業者用のコンピュータシステムが連携することで、徒歩と自家用車と公共交通機関の組み合わせによる興味対象場所への最適経路を提供するシステムが開示されている。【０００４】
一方、環境問題、とりわけ温室効果ガスによる地球温暖化問題に対する世界的な認識の高まりから、二酸化炭素の排出を相殺するための方策として、二酸化炭素の排出量に対して排出権を購入し、その排出権に相当する資金が自然エネルギー開発や植林に投資され、二酸化炭素の排出量を相殺する、カーボンオフセットといわれる手法が提案されている。【０００５】
例えば、特許文献２に記載の取引システムでは、国家間での排出権の売買を相対取引やオークション形式での取引を用いてインターネット上で行うシステムが開示されている。【０００６】
【特許文献１】特許第３８６８２６２号公報
【特許文献２】特開２００２−１４９９７８号公報
【発明の開示】
【発明が解決しようとする課題】
【０００７】
しかしながら、特許文献１に記載の従来のナビゲーションシステムにおいては、情報配信事業者は興味対象場所へエンドユーザーを誘導することのみを目的としており、不特定多数のエンドユーザーが環境への負荷を意識することなく様々な交通手段を用いて集まるため、間接的に交通手段による温室効果ガスの排出を誘発してしまうという問題点を有していた。【０００８】
また、特許文献２に記載の取引システムにおいては、取引主体は限定されており、取引単位も数千トン以上の単位であるため、一般の個人が環境問題に貢献しようとする場合、排出権を購入することができないという問題点を有していた。【０００９】
本発明は、上記に鑑みてなされたもので、情報配信サービスのエンドユーザーにとっては、興味対象場所への移動と共に、エンドユーザー自身の行動をリアルタイムにカーボンオフセットを介した環境保全活動へとつなげることができ、情報配信事業者にとっては、環境対策を講じた情報配信をすることができる経路探索装置および経路探索方法を提供することを目的とする。
【課題を解決するための手段】
【００１０】
このような目的を達成するため、本発明の経路探索装置および経路探索方法は、カーボンオフセットを希望する情報配信事業者が提供する情報配信サービスのエンドユーザーが所持する入力部と表示部とを少なくとも備える情報処理端末に、ネットワークを介して通信可能に接続された制御部と記憶部とを少なくとも備える経路探索装置および当該経路探索装置において実行される経路探索方法であって、上記記憶部は、交通機関の時刻表データと道路網データとを少なくとも含む経路探索情報を記憶する経路探索情報記憶手段と、上記交通機関ごとの一定距離あたりの温室効果ガスの排出量の算定基準を記憶した排出量算定基準記憶手段と、上記情報配信事業者ごとに上記温室効果ガスの排出権量を記憶する排出権量記憶手段と、を備え、上記制御部は、上記情報処理端末の上記入力部を介して入力された経路探索条件、および、上記情報配信事業者を特定する情報配信事業者特定情報を上記情報処理端末から受信する条件受信手段（条件受信ステップ）と、上記条件受信手段（条件受信ステップ）にて受信した上記経路探索条件を満たす少なくとも１つの経路を、上記経路探索情報記憶手段に記憶された上記経路探索情報を用いて作成する経路作成手段（経路作成ステップ）と、上記排出量算定基準記憶手段に記憶された上記算定基準を用いて、上記経路作成手段（経路作成ステップ）にて作成された少なくとも１つの上記経路を利用した場合に排出される上記排出量を当該経路ごとに算出する排出量算出手段（排出量算出ステップ）と、上記経路作成手段（経路作成ステップ）にて作成された少なくとも１つの上記経路と、上記排出量算出手段（排出量算出ステップ）にて当該経路ごとに算出された上記排出量とを含む経路探索結果を、上記情報処理端末に送信することにより上記表示部に表示させる経路探索結果表示手段（経路探索結果表示ステップ）と、上記経路探索結果表示手段（経路探索結果表示ステップ）にて上記情報処理端末の上記表示部に表示された上記経路と上記排出量とに基づき、上記情報処理端末の上記入力部を介して選択された上記経路を要求する経路選択要求を上記情報処理端末から受信する経路選択受信手段（経路選択受信ステップ）と、上記経路選択受信手段（経路選択受信ステップ）にて上記経路選択要求を受信した場合、上記条件受信手段（条件受信ステップ）にて受信した上記情報配信事業者特定情報にて特定された上記情報配信事業者に対応する上記排出権量記憶手段に記憶された上記排出権量から、上記経路選択要求にて選択された上記経路に対応する上記排出量を差し引くことにより、上記排出量の償却を行う排出量償却手段（排出量償却ステップ）と、上記排出量償却手段（排出量償却ステップ）にて償却された上記排出量を少なくとも含む償却結果を、上記情報処理端末に送信することにより上記表示部に表示させる償却結果表示手段（償却結果表示ステップ）と、を備えたことを特徴とする。【００１１】
また、本発明の経路探索装置および経路探索方法は、カーボンオフセットを希望する情報配信事業者に対するエンドユーザーが所持する入力部と表示部とを少なくとも備える情報処理端末に、ネットワークを介して通信可能に接続された制御部と記憶部とを少なくとも備える経路探索装置および当該経路探索装置において実行される経路探索方法であって、上記記憶部は、交通機関の時刻表データと道路網データとを少なくとも含む経路探索情報を記憶する経路探索情報記憶手段と、上記交通機関ごとの一定距離あたりの温室効果ガスの排出量の算定基準を記憶した排出量算定基準記憶手段と、上記情報配信事業者ごとに上記温室効果ガスの排出権量を記憶する排出権量記憶手段と、を備え、上記制御部は、上記情報処理端末の上記入力部を介して入力された、出発地または目的地に上記情報配信事業者の指定地点を含む経路探索条件を上記情報処理端末から受信する条件受信手段（条件受信ステップ）と、上記条件受信手段（条件受信ステップ）にて受信した上記経路探索条件を満たす少なくとも１つの経路を、上記経路探索情報記憶手段に記憶された上記経路探索情報を用いて作成する経路作成手段（経路作成ステップ）と、上記排出量算定基準記憶手段に記憶された上記算定基準を用いて、上記経路作成手段（経路作成ステップ）にて作成された少なくとも１つの上記経路を利用した場合に排出される上記排出量を当該経路ごとに算出する排出量算出手段（排出量算出ステップ）と、上記経路作成手段（経路作成ステップ）にて作成された少なくとも１つの上記経路と、上記排出量算出手段（排出量算出ステップ）にて当該経路ごとに算出された上記排出量とを含む経路探索結果を、上記情報処理端末に送信することにより上記表示部に表示させる経路探索結果表示手段（経路探索結果表示ステップ）と、上記経路探索結果表示手段（経路探索結果表示ステップ）にて上記情報処理端末の上記表示部に表示された上記経路と上記排出量とに基づき、上記情報処理端末の上記入力部を介して選択された上記経路を要求する経路選択要求を上記情報処理端末から受信する経路選択受信手段（経路選択受信ステップ）と、上記経路選択受信手段（経路選択受信ステップ）にて上記経路選択要求を受信した場合、上記条件受信手段（条件受信ステップ）にて受信した上記経路探索条件にて特定された上記情報配信事業者の上記指定地点に対応する上記排出権量記憶手段に記憶された上記排出権量から、上記経路選択要求にて選択された上記経路に対応する上記排出量を差し引くことにより、上記排出量の償却を行う排出量償却手段（排出量償却ステップ）と、上記排出量償却手段（排出量償却ステップ）にて償却された上記排出量を含む償却結果を、上記情報処理端末に送信することにより上記表示部に表示させる償却結果表示手段（償却結果表示ステップ）と、を備えたことを特徴とする。【００１２】
また、本発明の経路探索装置は、上記記載の経路探索装置において、上記排出権量は、１単位の排出権毎に管理されており、上記排出量償却手段は、上記経路選択受信手段にて複数の上記情報処理端末が上記経路選択要求を上記経路探索装置へ送信した場合、上記排出量算出手段にて当該経路ごとに算出された複数の上記排出量の積算量を計算する排出量積算手段と、上記排出量積算手段にて計算された上記積算量と、上記排出権量記憶手段に記憶された上記１単位とを比較し、上記積算量が上記１単位を上回るかを判定する積算量判定手段と、を更に備えたことを特徴とする。【００１３】
また、本発明の経路探索装置は、上記記載の経路探索装置において、上記排出権量は、上記情報配信事業者の購入済みまたは購入予定の上記排出権の量であり、上記排出量償却手段は、上記積算量判定手段にて上記積算量が上回ると判定された場合、上記積算量から上記排出権の上記１単位分を差し引くことにより、上記積算量の上記１単位分の償却を行い、上記積算量の上記１単位分の償却が行われた場合、上記排出権の購入を上記情報配信事業者へ要求する購入要求手段を更に備えたことを特徴とする。【００１４】
また、本発明の経路探索装置は、上記記載の経路探索装置において、上記排出権量は、上記情報配信事業者の購入済みまたは購入予定の上記排出権の量であり、上記償却結果表示手段は、上記積算量判定手段にて上記積算量が上回ると判定された場合、上記経路選択要求にて選択された上記経路に対応する上記排出量を上記情報配信事業者が償却できないため、上記経路作成手段にて作成された少なくとも１つの上記経路の上記情報処理端末への送信を停止することを示す上記償却結果を、上記情報処理端末に送信することにより上記表示部に表示させることを特徴とする。【００１５】
また、本発明の経路探索装置は、上記記載の経路探索装置において、上記排出権量は、上記情報配信事業者の購入済みまたは購入予定の上記排出権の量であり、上記償却結果表示手段は、上記積算量判定手段にて上記積算量が上回ると判定された場合、上記償却結果において償却できなかった上記経路に対して上記表示部にて表示される表示内容および表示方法を変更して表示させることを特徴とする。【００１６】
また、本発明の経路探索装置は、上記記載の経路探索装置において、上記排出権量は、上記情報配信事業者の購入済みまたは購入予定の上記排出権の量であり、上記償却結果表示手段は、上記積算量判定手段にて上記積算量が上回ると判定された場合、上記経路選択要求にて選択された上記経路に対応する上記排出量を上記情報配信事業者が償却できないため、上記経路探索条件を温室効果ガスを所定値以上排出する上記交通機関を使わない経路探索に変更したことを示す上記償却結果を、上記情報処理端末に送信することにより上記表示部に表示させることを特徴とする。【００１７】
また、本発明の経路探索装置は、上記記載の経路探索装置において、上記制御部は、上記情報処理端末が上記指定地点にあることを確認する指定地点確認手段を更に備え、上記排出量償却手段は、上記指定地点確認手段にて上記情報処理端末が上記指定地点にあることの確認が取れない場合、上記排出量償却手段における上記排出量の償却を取り消すことを特徴とする。【００１８】
また、本発明の経路探索装置は、上記記載の経路探索装置において、上記記憶部は、上記情報配信事業者ごとに、上記経路探索結果および上記償却結果の少なくとも一部を関連付けた履歴情報を記憶する履歴情報記憶手段を更に備え、上記経路探索結果表示手段は、上記経路探索結果の少なくとも一部を上記情報配信事業者ごとに上記履歴情報記憶手段に格納し、上記償却結果表示手段は、上記償却結果の少なくとも一部を上記情報配信事業者ごとに上記履歴情報記憶手段に格納することを特徴とする。
【発明の効果】
【００１９】
この発明によれば、カーボンオフセットを希望する情報配信事業者は、エンドユーザーに配信した情報のリンク等により誘導されたナビゲーションシステム等の経路探索により、不特定多数のエンドユーザーの情報配信事業者が意図する地点への移動によって発生した温室効果ガスの排出量を、間接的に把握し、償却することができる。これにより、本発明は、たとえ排出権の取引に不慣れな情報配信事業者であっても簡単にカーボンオフセットに参加できるようになり、地球温暖化対策に有効な施策がより多く実行されるだけでなく、社会的に情報配信事業者がカーボンオフセットを行った実績をアピールすることできるという効果を奏する。【００２０】
また、この発明によれば、エンドユーザーにとっての興味対象場所である情報配信事業者の指定地点（例えば、情報配信事業者が提供するイベント会場等）を出発地または目的地として設定した経路探索を提供した場合には、自動的にカーボンオフセットを実行することができる。これにより、本発明は、情報配信事業者によるエンドユーザーの興味対象場所への誘導によって発生した温室効果ガスの排出量を、間接的に把握し、償却することがより簡単に行えるという効果を奏する。【００２１】
また、この発明によれば、複数のエンドユーザーの経路探索要求により生じる二酸化炭素排出量を積算し、排出権の購入量または購入予定量と比較することができるので、情報配信事業者がカーボンオフセットする排出量の合計を把握でき、排出権の購入量や購入時期等といった排出権購入の管理をしやすくなるという効果を奏する。【００２２】
また、この発明によれば、排出権を事前購入するか、事後購入するかを選択することができるので、情報配信事業者の資金力や事業計画に従って排出権の購入を選択できるという効果を奏する。例えば、情報配信事業者が排出権を事後購入する場合は、初期投資が少なくて済むため、初めてカーボンオフセットに参加する場合にも参加しやすくなるという効果を奏する。【００２３】
また、この発明によれば、排出権が償却されると、排出権の購入を情報配信事業者へ要求するので、情報配信事業者が排出権の購入時期を迅速に把握することができ、排出権の償却処理を円滑に行うことができるという効果を奏する。【００２４】
また、この発明によれば、情報配信事業者による排出権の補充が行われないことを情報処理端末の表示（例えば、経路の送信停止またはアイコン等の表示形式や表示方法の変更または温室効果ガスを所定値以上排出しない経路表示への変更）により変更することができるので、情報配信事業者が排出権の購入を怠った場合など、エンドユーザーにわかるようになっており、システムとして厳しく運用されることが期待され、第三者からも信頼されるシステムとすることができるという効果を奏する。【００２５】
また、この発明によれば、経路探索を行ったエンドユーザーが指定地点に到達したかを確認することができるので、確実に経路に従って移動を行ったエンドユーザーか否かを情報配信事業者側が適切に把握することができ、さらに、情報配信事業者が支払うべき排出権の適正額を把握することができるという効果を奏する。【００２６】
また、この発明によれば、情報配信事業者ごとに、経路探索結果および償却結果の少なくとも一部を関連付けた履歴情報を記憶することができる。これにより、本発明は、例えば、情報配信事業者がカーボンオフセットできた排出量あるいはできなかった排出量等も記憶できるため、配信する情報により必要とされる排出権の購入量等を容易に把握でき、排出権の管理をしやすくなるという効果を奏する。
【図面の簡単な説明】
【００２７】
【図１】図１は、本発明の基本原理を示す概要図である。
【図２】図２は、本発明の経路探索装置１００の論理構成の一例を示すブロック図である。
【図３】図３は、本発明の経路探索装置１００の基本処理の一例を示す図である。
【図４】図４は、経路探索結果および償却結果を表示する情報処理端末１０の表示画面の一例を示す図である。
【図５】図５は、排出量償却処理および償却結果表示処理の一例を示すフローチャートである。
【図６】図６は、本発明の他の実施形態において複数のサーバ装置から構成される経路探索装置１００の一例を示す図である。
【符号の説明】
【００２８】
１０−１〜３  情報処理端末
１００  経路探索装置
１０２  制御部
１０２ａ  条件受信部
１０２ｂ  経路作成部
１０２ｃ  排出量算出部
１０２ｄ  経路探索結果表示部
１０２ｅ  経路選択受信部
１０２ｆ  排出量償却部
１０２ｇ  排出量積算部
１０２ｈ  積算量判定部
１０２ｉ  購入要求部
１０２ｊ  償却結果表示部
１０２ｋ  指定地点確認部
１０４  通信制御インターフェース部
１０６  記憶部
１０６ａ  経路探索情報ファイル
１０６ｂ  排出量算定基準ファイル
１０６ｃ  排出権量ファイル
１０６ｄ  履歴情報ファイル
２００  情報配信サーバ
２０６  記憶部
２０６ａ  興味対象場所ファイル
３００  ネットワーク
【発明を実施するための最良の形態】
【００２９】
以下に、本発明にかかる経路探索装置および経路探索方法並びにプログラムの実施の形態を図面に基づいて詳細に説明する。なお、この実施の形態によりこの発明が限定されるものではない。【００３０】
［本発明の概要］
以下、本発明の概要において、本発明の経路探索装置の構成および基本処理ついて図１〜図４を参照して説明し、その後、本発明の経路探索装置の各処理について詳細に説明する。図１は、本発明の基本原理を示す概要図である。図２は、本発明の経路探索装置１００の論理構成の一例を示すブロック図であり、該構成のうち本発明に関係する部分のみを概念的に示している。図３は、本発明の経路探索装置１００の基本処理の一例を示す図である。また、図４は、経路探索結果および償却結果を表示する情報処理端末１０の表示画面の一例を示す図である。【００３１】
本発明は、概略的に、以下の基本的特徴を有する。【００３２】
まず、図１に示すように、本発明は、カーボンオフセットを希望する情報配信事業者と、入力部と表示部とを少なくとも備えるエンドユーザーの情報処理端末１０と、記憶部と制御部とを少なくとも備える経路探索装置１００とが通信可能に接続されて構成される。【００３３】
そして、情報処理端末１０は、情報配信事業者から、当該事業者を特定する情報配信事業者特定情報、または、出発地または目的地に当該事業者の指定地点を含む指定地点情報を内在するリンク等の配信情報を受信し、表示部に表示する。【００３４】
そして、経路探索装置１００の制御部は、情報処理端末１０の入力部を介して入力された経路探索条件および情報配信事業者を特定する情報配信事業者特定情報、または、情報処理端末１０の入力部を介して入力された出発地または目的地に情報配信事業者の指定地点を含む経路探索条件を情報処理端末１０から受信し、経路探索を行い、そして、情報処理端末１０へ経路探索結果を送信する。更に、経路探索装置１００の制御部は、情報処理端末１０が選択した経路に基づいて排出される温室効果ガスの排出量を算出し、排出量相当分を経路探索装置１００が記憶する情報配信事業者の排出権から償却する。【００３５】
ここで、「情報配信事業者」とは、エンドユーザーに対して情報の提供を行う事業者（個人および法人を含む。）である。一例として、情報配信事業者としては、興味対象場所（例えば、店舗、イベント会場等）の情報は配信するが、ナビゲーションは専門としない事業者であってもよく、具体的には、情報配信事業者は、店舗情報サイト、イベント情報サイト、検索サイト等を運営する事業者であってもよい。【００３６】
また、「エンドユーザー」とは、情報処理端末１０を所持し、情報配信事業者の情報配信サーバ等から興味対象場所等の情報配信を受ける個人または集団等である。例えば、エンドユーザーは、情報配信事業者の提供するイベント情報サイト等に登録をして、イベント情報等の配信を情報配信事業者より定期的に受けている個人または集団等であってもよい。【００３７】
［本経路探索装置１００の構成］
次に、図１に示す本経路探索装置１００の構成について図２を参照して説明する。【００３８】
図２に示すように、本経路探索装置１００は、概略的に、エンドユーザーが所持する入力部（図示せず）と表示部（図示せず）とを備える情報処理端末１０−１〜３と、記憶部２０６を備える情報配信サーバ２００とに、通信制御インターフェース部１０４を介してネットワーク３００を通じて通信可能に接続され、記憶部１０６と制御部１０２とを備えて構成される。これら経路探索装置１００の各部は任意の通信路を介して通信可能に接続されている。【００３９】
ここで、図２において、情報処理端末１０−１〜３は、可搬性を有し、経路探索装置１００と情報配信サーバ２００にアクセスし情報検索等を行う機能を有する装置である。例えば、一般に市販されるノート型のパーソナルコンピュータ等の情報処理装置や、携帯電話やＰＨＳやＰＤＡ等の携帯端末装置などである。また、情報処理端末１０−１〜３は、経路探索装置１００から受信した経路探索結果や償却結果、情報配信サーバ２００から受信した興味対象場所の情報を、表示する表示部（例えば、液晶や有機ＥＬ等から構成されるディスプレイやモニタ等）と、経路探索装置１００へ送信する経路探索条件の入力を行う入力部（例えば、キー入力部、タッチパネル、キーボード、マイク等）とを備えている。また、情報処置端末１０−１〜３は、例えば、ＧＰＳ機能を有する位置検出部（図示せず）を備えていてもよく、経路探索装置１００からリアルタイムにナビゲーション案内を行えるよう、位置検出部にて検出された現在位置を示す位置情報を経路探索装置１００へ送信してもよい。【００４０】
また、図２において、情報配信サーバ２００は、ネットワーク３００を介して、情報処理端末１０−１〜３および経路探索装置１００と相互に接続され、記憶部２０６を備えて構成される。記憶部２０６は、固定ディスク装置等のストレージ手段であり、各種のデータベースやテーブル（興味対象場所ファイル２０６ａ等）を格納する。【００４１】
ここで、記憶部２０６に格納される興味対象場所ファイル２０６ａは、レストラン検索サイト、アルバイトや派遣先の紹介サイト、コンサート等のイベント情報サイト、店舗案内サイト等のコンテンツである店舗、イベント会場、派遣先等の興味対象場所の情報を記憶する興味対象場所記憶手段である。【００４２】
また、図２において、通信制御インターフェース部１０４は、通信回線や電話回線等に接続されるルータ等の通信装置（図示せず）に接続されるインターフェースであり、経路探索装置１００とネットワーク３００との間における通信制御を行う機能を有する。すなわち、通信制御インターフェース部１０４は、情報処理端末１０−１〜３や情報配信サーバ２００等の外部機器と通信回線を介してデータを通信する機能を有している。また、ネットワーク３００は、経路探索装置１００と情報処理端末１０−１〜３や情報配信サーバ２００等の外部機器とを相互に接続する機能を有し、例えば、インターネット、電話回線網（携帯端末回線網、一般電話回線網を含む。）、イントラネット等であってもよい。【００４３】
また、図２において、記憶部１０６は、固定ディスク装置等のストレージ手段であり、各種のデータベースやテーブル（経路探索情報ファイル１０６ａ〜履歴情報ファイル１０６ｄ等）を格納する。例えば、記憶部１０６は、各種処理に用いる各種のプログラムやテーブルやファイルやデータベースやウェブページ等を格納する。【００４４】
これら記憶部１０６の各構成要素のうち、経路探索情報ファイル１０６ａは、制御部１０２が、情報処理端末１０−１〜３から受信した経路探索条件（例えば、出発地、目的地、出発時刻、到着時刻、利用交通機関等）を満たす少なくとも１つの経路を作成する際に用いる、交通機関の時刻表データと道路網データとを含む経路探索情報を記憶する経路探索情報記憶手段である。ここで、経路探索情報ファイル１０６ａに記憶される時刻表データは、例えば、電車、飛行機、バス、市電、ロープウェイ、モノレール、ケーブルカー、船等の各交通機関の時刻表を表す数値情報等である。また、経路探索情報ファイル１０６ａに記憶される道路網データは、徒歩、自転車、自動車、オートバイ等で移動する場合の経路作成に用いる各種の道路等のマップの緯度経度情報や位置情報等である。これら時刻表データと道路網データは、経路探索情報ファイル１０６ａに予め記憶されており、経路探索装置１００の制御部１０２は、定期的にネットワークを介して最新のデータをダウンロードして経路探索情報ファイル１０６ａに記憶された経路探索情報をアップデートしてもよい。【００４５】
また、排出量算定基準ファイル１０６ｂは、制御部１０２が、作成された少なくとも１つの経路を利用した場合に排出される温室効果ガスの排出量を経路ごとに算出する際に用いる、交通機関ごとに一定距離あたりの温室効果ガスの排出量の算定基準を記憶した排出量算定基準記憶手段である。ここで、排出量算定基準ファイル１０６ｂに記憶される排出量の算定基準は、移動距離に乗じて交通機関ごとに算出される１人あたりの二酸化炭素等の温室効果ガスの排出量の標準的な数値である。【００４６】
一例として、「運用・交通と環境２００７年版」［監修］国土交通省総合政策局環境・海洋課［発行］交通エコロジー・モビリティ財団によると、各交通機関の二酸化炭素排出量は、１人あたり、例えば、自家用自動車の場合、１７３（ｇ／ｋｍ）であり、飛行機の場合、１１１（ｇ／ｋｍ）であり、バスの場合、５１（ｇ／ｋｍ）であり、鉄道の場合、１９（ｇ／ｋｍ）である。なお、徒歩については二酸化炭素の排出量はないものとしている。また、実際に利用する交通機関と差異があるとしても、多くのエンドユーザーが様々な経路を利用すると、総合的にはこの数値を用いて計算したものに近づくものとしている。【００４７】
また、例えば、電車でも路線や車両タイプ（普通または新幹線等）によって詳細な分類を行ってもよく、この分類に従って最適な数値を用いて修正して算出してもよい。また、例えば、過疎路線では乗客１人あたりのＣＯ２排出量が高くなることもあるため、過疎路線に対して最適な数値を用いて修正して算出してもよい。【００４８】
また、算定基準は、排出量算定基準ファイル１０６ｂに予め記憶されており、経路探索装置１００の制御部１０２は、定期的にネットワークを介して最新のデータをダウンロードして排出量算定基準ファイル１０６ｂに記憶された算定基準をアップデートしてもよい。【００４９】
また、排出権量ファイル１０６ｃは、制御部１０２が、エンドユーザーにより入力部を介して選択された経路選択要求を情報処理端末１０−１〜３から受信し、受信した当該経路に相当する排出量分を、排出権量ファイル１０６ｃに記憶された排出権量から差し引くことにより、排出量の償却を行う際に用いる、情報配信事業者ごとに温室効果ガスの排出権量を記憶する排出権量記憶手段である。ここで、排出権量ファイル１０６ｃに記憶される排出権量は、情報配信事業者の購入済または購入予定（情報配信事業者の排出量がまとまってから排出権を購入する場合）の排出権の量を表す数値情報である。また、排出権量ファイル１０６ｃは、排出権が、その出所や時期によっても単価が異なるので、排出権の識別コード、総排出量、排出権の単価などを記憶してもよい。なお、本実施形態において、この排出権の識別コードや単価等の情報は、制御部１０２が、算出された排出量を償却するのに必要な排出権購入金額を計算する際に用いる。【００５０】
また、履歴情報ファイル１０６ｄは、制御部１０２が、情報処理端末１０−１〜３へ送信する経路探索結果や償却結果等を情報配信事業者ごとに格納することで、情報配信事業者と、経路探索結果（経路と排出量等）と、償却結果（償却された排出量等）と、を関連付けた履歴情報を記憶する履歴情報記憶手段である。一例として、履歴情報ファイル１０６ｄは、エンドユーザーごとの情報配信端末１０−１〜３により経路選択要求された経路と、対応する情報配信事業者の排出権量から償却された排出量または償却できなかった排出量を関連付けて記憶してもよい。【００５１】
また、図２において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、条件受信部１０２ａ、経路作成部１０２ｂ、排出量算出部１０２ｃ、経路探索結果表示部１０２ｄ、経路選択受信部１０２ｅ、排出量償却部１０２ｆ、償却結果表示部１０２ｊ、および、指定地点確認部１０２ｋを備えて構成される。【００５２】
このうち、条件受信部１０２ａは、情報処理端末１０−１〜３の入力部を介して入力された経路探索条件および情報配信事業者を特定する情報配信事業者特定情報を情報処理端末１０−１〜３から受信する条件受信手段である。また、条件受信部１０２ａは、情報処理端末１０−１〜３の入力部を介して入力された出発地または目的地に情報配信事業者の指定地点を含む経路探索条件、を情報処理端末１０−１〜３から受信する条件受信手段である。【００５３】
また、経路作成部１０２ｂは、条件受信部１０２ａにて受信した経路探索条件を満たす少なくとも１つの経路を、経路探索情報ファイル１０６ａに記憶された経路探索情報を用いて作成する経路作成手段である。【００５４】
また、排出量算出部１０２ｃは、排出量算定基準ファイル１０６ｂに記憶された算定基準を用いて、経路作成部１０２ｂにて作成された少なくとも１つの経路を利用した場合に排出される排出量を当該経路ごとに算出する排出量算出手段である。【００５５】
また、経路探索結果表示部１０２ｄは、経路作成部１０２ｂにて作成された少なくとも１つの経路と、排出量算出部１０２ｃにて当該経路ごとに算出された排出量とを含む経路探索結果を、情報処理端末１０−１〜３に送信することにより表示部に表示させる経路探索結果表示手段である。ここで、経路探索結果表示部１０２ｄは、経路探索結果の少なくとも一部を情報配信事業者ごとに履歴情報ファイル１０６ｄに格納してもよい。【００５６】
また、経路選択受信部１０２ｅは、経路探索結果表示部１０２ｄにて情報処理端末１０−１〜３の表示部に表示された経路と排出量とに基づき、情報処理端末１０−１〜３の入力部を介して選択された経路を要求する経路選択要求を情報処理端末１０−１〜３から受信する経路選択受信手段である。【００５７】
また、排出量償却部１０２ｆは、経路選択受信部１０２ｅにて経路選択要求を受信した場合、条件受信部１０２ａにて受信した情報配信事業者特定情報にて特定された情報配信事業者に対応する排出権量ファイル１０６ｃに記憶された排出権量から、経路選択要求にて選択された経路に対応する排出量を差し引くことにより、排出量の償却を行う排出量償却手段である。ここで、排出量償却部１０２ｆは、後述する指定地点確認部１０２ｋにて情報処理端末１０−１〜３が指定地点にあることの確認が取れない場合、排出量償却部１０２ｆにおける排出量の償却を取り消してもよい。【００５８】
ここで、排出量償却部１０２ｆは、排出量積算部１０２ｇと積算量判別部１０２ｈと購入要求部１０２ｉとを更に備える。【００５９】
このうち、排出量積算部１０２ｇは、経路選択受信部１０２ｅにて複数の情報処理端末１０−１〜３が経路選択要求を経路探索装置１００へ送信した場合、排出量算出部１０２ｃにて当該経路ごとに算出された複数の排出量の積算量を計算する排出量積算手段である。また、積算量判定部１０２ｈは、排出量積算部１０２ｇにて計算された排出量の積算量と、排出権量ファイル１０６ｃに記憶された排出権の１単位とを比較し、積算量が１単位を上回るかを判定する積算量判定手段である。また、購入要求部１０２ｉは、積算量判定部１０２ｈにて積算量が上回ると判定された場合、積算量から排出権の１単位分を差し引くことにより、積算量の１単位分の償却を行い、積算量の排出権１単位分の償却が行われた場合、排出権の購入を情報配信事業者へ要求する購入要求手段である。【００６０】
また、償却結果表示部１０２ｊは、排出量償却部１０２ｆにて償却された排出量を少なくとも含む償却結果を、情報処理端末１０−１〜３に送信することにより表示部に表示させる償却結果表示手段である。【００６１】
ここで、償却結果表示部１０２ｊは、積算量判定部１０２ｈにて積算量が上回ると判定された場合、経路選択要求にて選択された経路に対応する排出量を情報配信事業者が償却できないため、経路作成部１０２ｂにて作成された少なくとも１つの経路の情報処理端末１０−１〜３への送信を停止することを示す償却結果を、情報処理端末１０−１〜３に送信することにより表示部に表示させてもよい。また、償却結果表示部１０２ｊは、積算量判定部１０２ｈにて積算量が上回ると判定された場合、償却結果において償却できなかった経路に対して表示部にて表示される表示内容および表示方法を変更して表示させてもよい。また、償却結果表示部１０２ｊは、積算量判定部１０２ｈにて積算量が上回ると判定された場合、経路選択要求にて選択された経路に対応する排出量を情報配信事業者が償却できないため、経路探索条件を温室効果ガスを所定値以上排出する交通機関を使わない経路探索に変更したことを示す償却結果を、情報処理端末１０−１〜３に送信することにより表示部に表示させてもよい。また、償却結果表示部１０２ｊは、償却結果の少なくとも一部を情報配信事業者ごとに履歴情報ファイル１０６ｄに格納してもよい。【００６２】
また、指定地点確認部１０２ｋは、情報処理端末１０−１〜３が情報配信事業者の指定地点にあることを確認する指定地点確認手段である。【００６３】
一例として、指定地点確認部１０２ｋは、情報処理端末１０−１〜３に搭載されたＧＰＳ機能を有する位置検出部から送られる位置情報を検出して、情報処理端末１０−１〜３が指定地点にあることを確認してもよい。また、指定地点確認部１０２ｋは、情報処理端末１０−１〜３に搭載された非接触型ＩＣチップや、表示部に表示させた各情報処理端末１０−１〜３を識別させるために配信した、例えばＱＲコードや２次元バーコード等を指定地点に設置した受信機で確認してもよい。【００６４】
以上で、本経路探索装置１００の構成の説明を終える。【００６５】
［経路探索装置１００の基本処理］
続いて、図３および図４を参照して、本発明の経路探索装置１００の基本処理について以下に説明する。【００６６】
まず、図３に示すように、エンドユーザーが所有する情報処理端末１０は、情報配信事業者（情報配信サーバ２００）にアクセスする（ステップＳＡ−１）。【００６７】
そして、情報処理端末１０は、情報配信事業者から配信情報を得る（ステップＳＡ−２）。【００６８】
ここで、「配信情報」とは、興味対象場所ファイル２０６ａに記憶された情報配信事業者が配信する興味対象場所等の情報であり、情報配信事業者を特定する情報（例えば、情報配信サーバ２００の固定ＩＰ等）を含む情報配信事業者特定情報あってもよく、また、指定地点情報等を含む経路探索条件であってもよい。【００６９】
また、経路探索条件とは、出発地および目的地を少なくとも含み、日付、時刻、表示順序（所用時間順、運賃順、乗換回数順、ＣＯ２排出量順など）、徒歩速度（標準、ゆっくり、急ぎなど）、使用路線（飛行機、新幹線、特急線、路線バス、その他有料路線など）等に関する条件を含んでもよい。【００７０】
ここで、図４（ａ）を参照し、ステップＳＡ−２において、情報配信事業者から配信され、情報処理端末１０の表示部に表示される配信情報の一例について以下に説明する。【００７１】
図４（ａ）に示すように、情報処理端末１０の表示部に配信情報としてエンドユーザーの興味対象場所の情報と、経路探索装置の提供するサイトへのリンクとが表示されている。【００７２】
一例として、図４（ａ）の表示画面には、配信情報として、フェスティバルおよびフェスティバルの開催される公園の名称と公園の地図が表示されている。また、このフェスティバルは、主催者によりカーボンオフセットが実施されることの注釈と、エンドユーザーが目的地までの経路探索の要求をする「ここへ行く」リンクＬ１が表示されている。そして、エンドユーザーがリンクＬ１をクリックすると、経路探索条件（例えば、現在地を出発点として目的地をフェスティバルが開催される公園とする条件）と情報配信事業者特定情報（例えば、カーボンオフセットを実施するフェスティバルの主催者の情報）が経路探索装置１００へ送信され、図４（ｂ）のページへ移行する。【００７３】
図３に戻り、条件受信部１０２ａは、エンドユーザーが所有する情報処理端末１０の入力部を介して入力された経路探索条件および情報配信事業者を特定する情報配信事業者特定情報、または、情報処理端末１０の入力部を介して入力された出発地または目的地に情報配信事業者の指定地点を含む経路探索条件を情報処理端末１０から受信する（ステップＳＡ−３）。【００７４】
そして、経路作成部１０２ｂは、ステップＳＡ−３にて受信した経路探索条件に基づいて経路探索を行う（ステップＳＡ−４）。【００７５】
ここで、ステップＳＡ−４における処理について以下に詳細に説明する。【００７６】
まず、経路作成部１０２ｂは、条件受信部１０２ａにて受信した経路探索条件を満たす少なくとも１つの経路を、経路探索情報ファイル１０６ａに記憶された経路探索情報を用いて作成する。ここで、経路作成部１０２ｂにて作成される経路は、興味対象場所への最短時間で移動する交通機関を組み合わせた経路や、温室効果ガスを所定値以上排出する交通機関を使わない経路であってもよい。【００７７】
そして、排出量算出部１０２ｃは、排出量算定基準ファイル１０６ｂに記憶された温室効果ガスの算定基準を用いて、経路作成部１０２ｂにて作成された少なくとも１つの経路を利用した場合に排出される温室効果ガスの排出量を当該経路ごとに算出する。【００７８】
具体的には、一例として、排出量算出部１０２ｃは、経路作成部１０２ｂの処理により作成された少なくとも１つの経路から、その経路を利用する際に用いる交通機関（例えば、自家用自動車、飛行機、バス、鉄道等）と、その経路を利用した場合の移動距離（ｋｍ）と、を抽出する。【００７９】
そして、排出量算出部１０２ｃは、抽出された交通機関ごとに異なる排出量の算定基準（例えば、自家用自動車の場合、１７３（ｇ／ｋｍ）であり、飛行機の場合、１１１（ｇ／ｋｍ）であり、バスの場合、５１（ｇ／ｋｍ）であり、鉄道の場合、１９（ｇ／ｋｍ））を、排出量算定基準ファイル１０６ｂに問い合わせる。【００８０】
そして、排出量算出部１０２ｃは、問合せた算定基準に、抽出された、交通機関（例えば、鉄道）と移動距離（例えば、約９．６ｋｍ）を当てはめて計算することにより、排出量（例えば、約１８２ｇ）を算出する。【００８１】
図３に戻り、経路探索結果表示部１０２ｄは、ステップＳＡ−４において、経路作成部１０２ｂの処理により作成された少なくとも１つの経路と、排出量算出部１０２ｃの処理により算出された排出量とを含む経路探索結果を、情報処理端末１０に送信することにより情報処理端末１０の表示部に表示させる（ステップＳＡ−５）。ここで、経路探索結果表示部１０２ｄは、経路探索結果の少なくとも一部を情報配信事業者ごとに履歴情報ファイル１０６ｄに格納してもよい。【００８２】
ここで、図４（ｂ）および（ｃ）を参照し、ステップＳＡ−５において、情報処理端末１０の表示部にて表示される経路探索結果の一例について以下に説明する。【００８３】
図４（ｂ）に示すように、経路探索結果表示部１０２ｄは、経路探索条件を満たす経路と、その経路を利用した場合に生じる温室効果ガスの排出量とを含む経路探索結果を表示させている。【００８４】
一例として、図４（ｂ）の表示画面には、経路探索結果のうち「経路」（例えば、乗換回数、運賃、所要時間、徒歩距離、乗換駅、最適乗車車両、最適改札口等に関する情報を含む）と、「排出量」（ＣＯ２排出量（ｇ））とが表示される。具体的には、図４（ｂ）の表示画面には、経路探索結果の経路として、「第１経路」が表示されており、この第１の経路は、現在地から目的地までが「徒歩→電車→電車→徒歩」となっている。なお、図４（ｂ）において、画面上端に、１）電車マークＭ１、２）電車マークＭ２、３）自動車マークＭ３が表示されており、これらのマークＭ１〜Ｍ３は、第１経路および第２経路が「電車ルート」であり、第３経路が「自動車ルート」であることを意味している。また、図４（ｂ）の表示画面中に、経路探索結果の「排出量」として、ＣＯ２排出量が「約１８２ｇ」であることと、「ルート地図確認」リンクＬ２が表示されている。そして、エンドユーザーがリンクＬ２をクリックすると、図４（ｃ）のページへ移行する。【００８５】
続いて、図４（ｃ）の表示画面には、経路探索結果のうち、作成された少なくとも１つの経路が描画された地図が表示される。具体的には、フェスティバルの最寄り駅からフェスティバル会場への徒歩ルートを表示してもよい。また、経路探索結果表示部１０２ｄは、経路上にロゴマーク（ｅｃｏ）を表示して、この経路がカーボンオフセットされるルートであることを表現してもよい。【００８６】
図３に戻り、経路選択受信部１０２ｅは、経路探索結果表示部１０２ｄにより情報処理端末１０の表示部に表示された経路と排出量とに基づき、カーボンオフセットを希望するエンドユーザーにより情報処理端末１０の入力部を介して選択（ステップＳＡ−６）された経路を要求する経路選択要求を情報処理端末１０から受信する（ステップＳＡ−７）。【００８７】
ここで、図４（ｂ）を参照し、ステップＳＡ−６において、情報処理端末１０の表示部を介して行われる経路選択の一例について以下に説明する。【００８８】
図４（ｂ）に示すように、情報処理端末１０の表示部には、経路選択を行うオブジェクト（例えば、図４（ｂ）において、ボタンＢ１およびＢ２やリンクＬ２およびＬ３等）が表示されている。【００８９】
一例として、図４（ｂ）の表示画面には、「この経路で行く」ボタンＢ１および「音声ナビ開始」リンクＬ３が表示されている。そして、エンドユーザーがボタンＢ１またはリンクＬ３をクリックすると、経路選択がされ、経路選択要求が経路探索装置１００へ送信される。【００９０】
図３に戻り、排出量償却部１０２ｆは、経路選択受信部１０２ｅにて受信した情報配信事業者特定情報にて特定された情報配信事業者に対応する排出権量ファイル１０６ｃに記憶された排出権量から、経路選択要求にて選択された経路に対応する排出量を差し引くことにより、排出量の償却を行う（ステップＳＡ−８）。なお、ステップＳＡ−８において実行される排出権償却処理の詳細については後述する。ここで、指定地点確認部１０２ｋにて情報処理端末１０が指定地点にあることの確認が取れない場合、排出量償却部１０２ｆにおける排出量の償却を取り消してもよい。【００９１】
そして、償却結果表示部１０２ｊは、排出量償却部１０２ｆの処理により償却された排出量と少なくとも含む償却結果を、情報処理端末１０に送信することにより情報処理端末１０の表示部に表示させる（ステップＳＡ−９）。ここで、償却結果表示部１０２ｊは、償却結果の少なくとも一部を情報配信事業者ごとに履歴情報ファイル１０６ｄに格納してもよい。【００９２】
ここで、図４（ｂ）および（ｄ）を参照し、ステップＳＡ−９において、償却結果表示部１０２ｊの処理により情報処理端末１０の表示部に表示された償却結果の一例について以下に説明する。【００９３】
図４（ｄ）に示すように、償却結果表示部１０２ｊは、償却された排出量と、償却できなかった排出量を表示させている。【００９４】
一例として、図４（ｄ）の表示画面は、図４（ｂ）の表示画面上のカーボンオフセットを象徴する「ロゴマーク（ｅｃｏ）」ボタンＢ２がエンドユーザーによりクリックされると表示される。図４（ｄ）の表示画面には、一例として、フェスティバルの主催者がカーボンオフセットした二酸化炭素排出量「約３１２５ｋｇ」とカーボンオフセットできなかった二酸化炭素排出量「約０ｋｇ」が表示されている。【００９５】
以上で、本経路探索装置１００の基本処理の説明を終える。【００９６】
これにて、本発明の概要の説明を終える。【００９７】
［経路探索装置１００の各処理］
次に、このように構成された本実施の形態における本経路探索装置１００の各処理（排出量償却処理および償却結果表示処理）の一例について、以下に図５を参照して詳細に説明する。ここで、図５は、排出量償却処理および償却結果表示処理の一例を示すフローチャートである。【００９８】
［排出量償却処理および償却結果表示処理］
上記図３のステップＳＡ−８およびステップＳＡ−９において実行される排出量償却処理および償却結果表示処理の一例について、図５を参照して以下に説明する。【００９９】
図５に示すように、排出量積算部１０２ｇは、経路選択受信部１０２ｅにて同じ情報配信事業者に対応する複数の情報処理端末１０が経路選択要求を経路探索装置へ送信した場合、排出量算出部１０２ｃにて経路ごとに算出された複数の排出量の積算量を計算する（ステップＳＢ−１）。一例として、図５の右の概念図に示すように、排出量は、積算される。【０１００】
そして、積算量判定部１０２ｈは、排出権量ファイル１０６ｃに記憶された排出権量は、１単位の排出権毎に管理されている場合、排出量積算部１０２ｇにて計算された積算量と、排出権量ファイル１０６ｃに記憶された排出権の１単位とを比較し、積算量が当該１単位を上回るかを判定する（ステップＳＢ−２）。一例として、図５の右の概念図に示すように、積算量は、排出権の１単位と比較される。ここで、「１単位」とは、排出権を購入する際の売買の単位であり、例えば、二酸化炭素であれば１トン単位であってもよい。【０１０１】
そして、積算量判定部１０２ｈにより、積算量が排出権の１単位に満たないと判定された場合（ステップＳＢ−２、Ｎｏ）、排出量償却部１０２ｆは、処理を終了する。【０１０２】
一方、積算量判定部１０２ｈにより、積算量が排出権の１単位を上回ると判定された場合（ステップＳＢ−２、Ｙｅｓ）、排出量償却部１０２ｆは、積算量から排出権の１単位を差し引くことにより排出量の償却を行う（ステップＳＢ−３）。一例として、図５の右の概念図に示すように、積算量は、排出権の１単位を差し引かれ、残余の排出量が新たな積算量となる。【０１０３】
そして、購入要求部１０２ｉは、排出権の購入を情報配信事業者へ要求する（ステップＳＢ−４）。【０１０４】
そして、積算量判定部１０２ｈは、新たな積算量と、排出権量ファイル１０６ｃに記憶された排出権の１単位とを比較し、積算量が当該１単位を上回るかを判定する（ステップＳＢ−５）。一例として、図５の右の概念図に示すように、新たな積算量は、排出権の１単位と比較される。【０１０５】
そして、情報配信事業者によって新たな排出権が購入され、排出権の１単位が積算量を上回ると判定された場合（ステップＳＢ−５、Ｙｅｓ）、排出量償却部１０２ｆは、処理を終了する。【０１０６】
一方、情報配信事業者によって十分な量の排出権が購入されず、積算量が排出権の１単位を上回ると判定された場合、または、情報配信事業者によって新たな排出権が購入されない場合（ステップＳＢ−２、Ｙｅｓ）、償却結果表示部１０２ｊは、経路選択要求にて選択された経路に対応する排出量を情報配信事業者が償却できないため、経路作成部１０２ｂにより作成された少なくとも１つの経路の情報処理端末１０への送信を停止することを示す償却結果（例えば、エンドユーザーが、上記図４（ｂ）のルート地図案内リンクＬ２をクリックしても、リンク先である上記図４（ｃ）のページに移行せず、その代わりに、リンク先に移行できない旨を伝える表示等）を、情報処理端末１０に送信することにより表示部に表示させ、償却結果において償却できなかった経路に対して表示部にて表示される表示内容（例えば、「排出権量の不足によりカーボンオフセットが実行できませんでした」等の表示等）、および、表示方法（例えば、償却できなかった経路に関連する情報を赤色等の警告色にて表示、または、点滅させて表示等）を変更して表示させ、または、経路選択要求にて選択された経路に対応する排出量を情報配信事業者が償却できないため、経路探索条件を温室効果ガスを所定値以上排出する交通機関を使わない経路探索に変更したことを示す償却結果を、情報処理端末１０に送信することにより表示部に表示させる（ステップＳＢ−６）。【０１０７】
以上で、本経路探索装置１００の処理の説明を終える。【０１０８】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。【０１０９】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。【０１１０】
例えば、経路探索装置１００は、本実施形態において、単一のサーバ装置として構成した一例について説明したが、複数のサーバ装置を連動して構成してもよい。ここで、図６は、本発明の他の実施形態において複数のサーバ装置から構成される経路探索装置１００の一例を示す図である。具体的には、図６に示すように、経路探索サーバ１００−１は、経路探索情報ファイル１０６ａと履歴情報ファイル１０６ｄとを備えており、上述の制御部１０２のうち経路作成部１０２ｂ、経路探索結果表示部１０２ｄ、および、償却結果表示部１０２ｊに対応する機能を有する。また、排出権管理サーバ１００−２は、排出量算定基準ファイル１０６ｂと排出権量ファイル１０６ｃとを備えており、上述の制御部１０２のうち排出量算出部１０２ｃ、および、排出量償却部１０２ｆに対応する機能を有する。なお、経路探索サーバ１００−１と、排出権管理サーバ１００−２とは、ネットワークを介して通信可能に接続されており、データ連携を行っているため、これら複数のサーバ１００−１〜２を本発明の経路探索装置１００として機能させることができる。【０１１１】
このほか、文献中や図面中で示した処理手順、制御手順、具体的名称、各処理の登録データや検索条件等のパラメータを含む情報、画面例、データベース構成については、特記する場合を除いて任意に変更することができる。【０１１２】
また、経路探索装置１００に関して、図示の各構成要素は機能概念的なものであり、必ずしも物理的に図示の如く構成されていることを要しない。【０１１３】
例えば、経路探索装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて経路探索装置１００に機械的に読み取られる。すなわち、ＲＯＭまたはＨＤなどの記憶部１０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部１０２を構成する。【０１１４】
また、このコンピュータプログラムは、経路探索装置１００に対して任意のネットワーク３００を介して接続されたアプリケーションプログラムサーバに記憶されていてもよく、必要に応じてその全部または一部をダウンロードすることも可能である。【０１１５】
また、本発明に係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。【０１１６】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。【０１１７】
記憶部１０６に格納される各種のデータベース等（経路探索情報ファイル１０６ａ〜履歴情報ファイル１０６ｄ等）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。【０１１８】
また、経路探索装置１００は、既知のパーソナルコンピュータ、ワークステーション等の情報処理装置を接続し、該情報処理装置に本発明の方法を実現させるソフトウェア（プログラム、データ等を含む）を実装することにより実現してもよい。【０１１９】
更に、装置の分散・統合の具体的形態は図示するものに限られず、その全部または一部を、各種の付加等に応じて、または、機能負荷に応じて、任意の単位で機能的または物理的に分散・統合して構成することができる。
【産業上の利用可能性】
【０１２０】
以上詳述に説明したように、本発明によれば、情報処理端末のエンドユーザーにとっては、興味対象場所への移動と共に、エンドユーザー自身の行動をリアルタイムにカーボンオフセットを介した環境保全活動へとつなげることができ、情報配信事業者にとって、環境対策を講じた情報配信をすることができる経路探索装置を提供することができる。また、排出権の取引に不慣れな情報配信事業者が、交通手段によるカーボンオフセットを実現しようとする場合に、経路探索装置側でカーボンオフセットを実現するので、誰でも障壁なくカーボンオフセットに参加できる。本発明により地球温暖化防止に有効な施策がより多く実現されることが期待でき、カーボンオフセットや経路探索などを支援する情報機器や情報処理分野、また、自然エネルギー開発や植林事業分野などの様々な分野において極めて有用である。【０１２１】
なお、本出願人においては、２００７年５月よりナビゲーションサービスの提供に使用する全てのサーバ機器の使用電力を、グリーン電力証書を購入して自然エネルギー発電に相当する電力に切り替えており、本発明の実施により総合的に環境保全に取り組むことができるようになる。
【図１】
2009157089.tif 000003
【図２】
2009157089.tif 000004
【図３】
2009157089.tif 000005
【図４】
2009157089.tif 000006
【図５】
2009157089.tif 000007
【図６】
2009157089.tif 000008
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
カーボンオフセットを希望する情報配信事業者が提供する情報配信サービスのエンドユーザーが所持する入力部と表示部とを少なくとも備える情報処理端末に、ネットワークを介して通信可能に接続された制御部と記憶部とを少なくとも備える経路探索装置であって、
上記記憶部は、
交通機関の時刻表データと道路網データとを少なくとも含む経路探索情報を記憶する経路探索情報記憶手段と、
上記交通機関ごとの一定距離あたりの温室効果ガスの排出量の算定基準を記憶した排出量算定基準記憶手段と、
上記情報配信事業者ごとに上記温室効果ガスの排出権量を記憶する排出権量記憶手段と、
を備え、
上記制御部は、
上記情報処理端末の上記入力部を介して入力された経路探索条件、および、上記情報配信事業者を特定する情報配信事業者特定情報を上記情報処理端末から受信する条件受信手段と、
上記条件受信手段にて受信した上記経路探索条件を満たす少なくとも１つの経路を、上記経路探索情報記憶手段に記憶された上記経路探索情報を用いて作成する経路作成手段と、
上記排出量算定基準記憶手段に記憶された上記算定基準を用いて、上記経路作成手段にて作成された少なくとも１つの上記経路を利用した場合に排出される上記排出量を当該経路ごとに算出する排出量算出手段と、
上記経路作成手段にて作成された少なくとも１つの上記経路と、上記排出量算出手段にて当該経路ごとに算出された上記排出量とを含む経路探索結果を、上記情報処理端末に送信することにより上記表示部に表示させる経路探索結果表示手段と、
上記経路探索結果表示手段にて上記情報処理端末の上記表示部に表示された上記経路と上記排出量とに基づき、上記情報処理端末の上記入力部を介して選択された上記経路を要求する経路選択要求を上記情報処理端末から受信する経路選択受信手段と、
上記経路選択受信手段にて上記経路選択要求を受信した場合、上記条件受信手段にて受信した上記情報配信事業者特定情報にて特定された上記情報配信事業者に対応する上記排出権量記憶手段に記憶された上記排出権量から、上記経路選択要求にて選択された上記経路に対応する上記排出量相当分を償却する排出量償却手段と、
上記排出量償却手段にて償却された上記排出量を少なくとも含む償却結果を、上記情報処理端末に送信することにより上記表示部に表示させる償却結果表示手段と、
を備えたことを特徴とする、経路探索装置。
【請求項２】
カーボンオフセットを希望する情報配信事業者に対するエンドユーザーが所持する入力部と表示部とを少なくとも備える情報処理端末に、ネットワークを介して通信可能に接続された制御部と記憶部とを少なくとも備える経路探索装置であって、
上記記憶部は、
交通機関の時刻表データと道路網データとを少なくとも含む経路探索情報を記憶する経路探索情報記憶手段と、
上記交通機関ごとの一定距離あたりの温室効果ガスの排出量の算定基準を記憶した排出量算定基準記憶手段と、
上記情報配信事業者ごとに上記温室効果ガスの排出権量を記憶する排出権量記憶手段と、
を備え、
上記制御部は、
上記情報処理端末の上記入力部を介して入力された、出発地または目的地に上記情報配信事業者の指定地点を含む経路探索条件を上記情報処理端末から受信する条件受信手段と、
上記条件受信手段にて受信した上記経路探索条件を満たす少なくとも１つの経路を、上記経路探索情報記憶手段に記憶された上記経路探索情報を用いて作成する経路作成手段と、
上記排出量算定基準記憶手段に記憶された上記算定基準を用いて、上記経路作成手段にて作成された少なくとも１つの上記経路を利用した場合に排出される上記排出量を当該経路ごとに算出する排出量算出手段と、
上記経路作成手段にて作成された少なくとも１つの上記経路と、上記排出量算出手段にて当該経路ごとに算出された上記排出量とを含む経路探索結果を、上記情報処理端末に送信することにより上記表示部に表示させる経路探索結果表示手段と、
上記経路探索結果表示手段にて上記情報処理端末の上記表示部に表示された上記経路と上記排出量とに基づき、上記情報処理端末の上記入力部を介して選択された上記経路を要求する経路選択要求を上記情報処理端末から受信する経路選択受信手段と、
上記経路選択受信手段にて上記経路選択要求を受信した場合、上記条件受信手段にて受信した上記経路探索条件にて特定された上記情報配信事業者の上記指定地点に対応する上記排出権量記憶手段に記憶された上記排出権量から、上記経路選択要求にて選択された上記経路に対応する上記排出量相当分を償却する排出量償却手段と、
上記排出量償却手段にて償却された上記排出量を含む償却結果を、上記情報処理端末に送信することにより上記表示部に表示させる償却結果表示手段と、
を備えたことを特徴とする、経路探索装置。
【請求項３】
請求項１または２に記載の経路探索装置において、
上記排出権量は、１単位の排出権毎に管理されており、
上記排出量償却手段は、
上記経路選択受信手段にて複数の上記情報処理端末が上記経路選択要求を上記経路探索装置へ送信した場合、上記排出量算出手段にて当該経路ごとに算出された複数の上記排出量の積算量を計算する排出量積算手段と、
上記排出量積算手段にて計算された上記積算量と、上記排出権量記憶手段に記憶された上記１単位とを比較し、上記積算量が上記１単位を上回るかを判定する積算量判定手段と、
を更に備えたことを特徴とする、経路探索装置。
【請求項４】
請求項３の経路探索装置において、
上記排出権量は、上記情報配信事業者の購入済みまたは購入予定の上記排出権の量であり、
上記排出量償却手段は、
上記積算量判定手段にて上記積算量が上回ると判定された場合、
上記積算量から上記排出権の上記１単位分を差し引くことにより、上記積算量の上記１単位分の償却を行い、
上記積算量の上記１単位分の償却が行われた場合、上記排出権の購入を上記情報配信事業者へ要求する購入要求手段
を更に備えたことを特徴とする、経路探索装置。
【請求項５】
請求項３の経路探索装置において、
上記排出権量は、上記情報配信事業者の購入済みまたは購入予定の上記排出権の量であり、
上記償却結果表示手段は、
上記積算量判定手段にて上記積算量が上回ると判定された場合、
上記経路選択要求にて選択された上記経路に対応する上記排出量を上記情報配信事業者が償却できないため、上記経路作成手段にて作成された少なくとも１つの上記経路の上記情報処理端末への送信を停止することを示す上記償却結果を、上記情報処理端末に送信することにより上記表示部に表示させることを特徴とする、経路探索装置。
【請求項６】
請求項３の経路探索装置において、
上記排出権量は、上記情報配信事業者の購入済みまたは購入予定の上記排出権の量であり、
上記償却結果表示手段は、
上記積算量判定手段にて上記積算量が上回ると判定された場合、
上記償却結果において償却できなかった上記経路に対して上記表示部にて表示される表示内容および表示方法を変更して表示させることを特徴とする、経路探索装置。
【請求項７】
請求項３の経路探索装置において、
上記排出権量は、上記情報配信事業者の購入済みまたは購入予定の上記排出権の量であり、
上記償却結果表示手段は、
上記積算量判定手段にて上記積算量が上回ると判定された場合、
上記経路選択要求にて選択された上記経路に対応する上記排出量を上記情報配信事業者が償却できないため、上記経路探索条件を上記温室効果ガスを所定値以上排出する上記交通機関を使わない経路探索に変更したことを示す上記償却結果を、上記情報処理端末に送信することにより上記表示部に表示させることを特徴とする、経路探索装置。
【請求項８】
請求項２から７のいずれか一つに記載の経路探索装置において、
上記制御部は、
上記情報処理端末が上記指定地点にあることを確認する指定地点確認手段
を更に備え、
上記排出量償却手段は、
上記指定地点確認手段にて上記情報処理端末が上記指定地点にあることの確認が取れない場合、上記排出量償却手段における上記排出量の償却を取り消すことを特徴とする、経路探索装置。
【請求項９】
請求項１から８のいずれか一つに記載の経路探索装置において、
上記記憶部は、
上記情報配信事業者ごとに、上記経路探索結果および上記償却結果の少なくとも一部を関連付けた履歴情報を記憶する履歴情報記憶手段
を更に備え、
上記経路探索結果表示手段は、
上記経路探索結果の少なくとも一部を上記情報配信事業者ごとに上記履歴情報記憶手段に格納し、
上記償却結果表示手段は、
上記償却結果の少なくとも一部を上記情報配信事業者ごとに上記履歴情報記憶手段に格納することを特徴とする、経路探索装置。
【請求項１０】
カーボンオフセットを希望する情報配信事業者に対するエンドユーザーが所持する入力部と表示部とを少なくとも備える情報処理端末に、ネットワークを介して通信可能に接続された制御部と記憶部とを少なくとも備える経路探索装置において実行される経路探索方法であって、
上記記憶部は、
交通機関の時刻表データと道路網データとを少なくとも含む経路探索情報を記憶する経路探索情報記憶手段と、
上記交通機関ごとの一定距離あたりの温室効果ガスの排出量の算定基準を記憶した排出量算定基準記憶手段と、
上記情報配信事業者ごとに上記温室効果ガスの排出権量を記憶する排出権量記憶手段と、
を備えており、
上記制御部において実行される、
上記情報処理端末の上記入力部を介して入力された経路探索条件、および、上記情報配信事業者を特定する情報配信事業者特定情報を上記情報処理端末から受信する条件受信ステップと、
上記条件受信ステップにて受信した上記経路探索条件を満たす少なくとも１つの経路を、上記経路探索情報記憶手段に記憶された上記経路探索情報を用いて作成する経路作成ステップと、
上記排出量算定基準記憶手段に記憶された上記算定基準を用いて、上記経路作成ステップにて作成された少なくとも１つの上記経路を利用した場合に排出される上記排出量を当該経路ごとに算出する排出量算出ステップと、
上記経路作成ステップにて作成された少なくとも１つの上記経路と、上記排出量算出ステップにて当該経路ごとに算出された上記排出量とを含む経路探索結果を、上記情報処理端末に送信することにより上記表示部に表示させる経路探索結果表示ステップと、
上記経路探索結果表示ステップにて上記情報処理端末の上記表示部に表示された上記経路と上記排出量とに基づき、上記情報処理端末の上記入力部を介して選択された上記経路を要求する経路選択要求を上記情報処理端末から受信する経路選択受信ステップと、
上記経路選択受信ステップにて上記経路選択要求を受信した場合、上記条件受信ステップにて受信した上記情報配信事業者特定情報にて特定された上記情報配信事業者に対応する上記排出権量記憶手段に記憶された上記排出権量から、上記経路選択要求にて選択された上記経路に対応する上記排出量相当分を償却する排出量償却ステップと、
上記排出量償却ステップにて償却された上記排出量を少なくとも含む償却結果を、上記情報処理端末に送信することにより上記表示部に表示させる償却結果表示ステップと、
を含むことを特徴とする、経路探索方法。
【請求項１１】
カーボンオフセットを希望する情報配信事業者に対するエンドユーザーが所持する入力部と表示部とを少なくとも備える情報処理端末に、ネットワークを介して通信可能に接続された制御部と記憶部とを少なくとも備える経路探索装置において実行される経路探索方法であって、
上記記憶部は、
交通機関の時刻表データと道路網データとを少なくとも含む経路探索情報を記憶する経路探索情報記憶手段と、
上記交通機関ごとの一定距離あたりの温室効果ガスの排出量の算定基準を記憶した排出量算定基準記憶手段と、
上記情報配信事業者ごとに上記温室効果ガスの排出権量を記憶する排出権量記憶手段と、
を備えており、
上記制御部において実行される、
上記情報処理端末の上記入力部を介して入力された、出発地または目的地に上記情報配信事業者の指定地点を含む経路探索条件を上記情報処理端末から受信する条件受信ステップと、
上記条件受信ステップにて受信した上記経路探索条件を満たす少なくとも１つの経路を、上記経路探索情報記憶手段に記憶された上記経路探索情報を用いて作成する経路作成ステップと、
上記排出量算定基準記憶手段に記憶された上記算定基準を用いて、上記経路作成ステップにて作成された少なくとも１つの上記経路を利用した場合に排出される上記排出量を当該経路ごとに算出する排出量算出ステップと、
上記経路作成ステップにて作成された少なくとも１つの上記経路と、上記排出量算出ステップにて当該経路ごとに算出された上記排出量とを含む経路探索結果を、上記情報処理端末に送信することにより上記表示部に表示させる経路探索結果表示ステップと、
上記経路探索結果表示ステップにて上記情報処理端末の上記表示部に表示された上記経路と上記排出量とに基づき、上記情報処理端末の上記入力部を介して選択された上記経路を要求する経路選択要求を上記情報処理端末から受信する経路選択受信ステップと、
上記経路選択受信ステップにて上記経路選択要求を受信した場合、上記条件受信ステップにて受信した上記経路探索条件にて特定された上記情報配信事業者の上記指定地点に対応する上記排出権量記憶手段に記憶された上記排出権量から、上記経路選択要求にて選択された上記経路に対応する上記排出量相当分を償却する排出量償却ステップと、
上記排出量償却ステップにて償却された上記排出量を含む償却結果を、上記情報処理端末に送信することにより上記表示部に表示させる償却結果表示ステップと、
を含むことを特徴とする、経路探索方法。
【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
カーボンオフセットを希望する情報配信事業者が提供する情報配信サービスのエンドユーザが所持する入力部と表示部とを少なくとも備える情報処理端末に、ネットワークを介して通信可能に接続された制御部と記憶部とを少なくとも備える経路探索装置であって、
上記記憶部は、
交通機関の時刻表データと道路網データとを少なくとも含む経路探索情報を記憶する経路探索情報記憶手段と、
上記交通機関ごとの一定距離あたりの温室効果ガスの排出量の算定基準を記憶した排出量算定基準記憶手段と、
上記情報配信事業者ごとに上記温室効果ガスの排出量を記憶する排出権量記憶手段と、
を備え、
上記制御部は、
上記情報処理端末の上記入力部を介して入力された、上記情報配信事業者が配信する興味対象場所である、出発地および目的地、ならびに、上記情報配信事業者を特定する情報配信事業者特定情報を上記情報処理端末から受信する条件受信手段と、
上記条件受信手段にて受信した上記出発地から上記目的地までの経路の経路情報を、上記経路探索情報記憶手段に記憶された上記経路探索情報を用いて作成する経路作成手段と、
上記排出量算定基準記憶手段に記憶された上記算定基準を用いて、上記経路作成手段にて作成された上記経路情報の上記経路を利用した場合に排出される上記排出量を算出する排出量算出手段と、
上記経路作成手段にて作成された上記経路情報と、上記排出量算出手段にて算出された上記排出量とを、上記情報処理端末に送信することにより上記表示部に表示させる経路探索結果表示手段と、
上記経路探索結果表示手段にて上記情報処理端末の上記表示部に表示された上記経路情報と上記排出量とに基づき、上記情報処理端末の上記入力部を介して選択された上記経路情報の上記経路を利用した場合に排出される上記排出量を差し引く要求を上記情報処理端末から受信する経路選択受信手段と、
上記経路選択受信手段にて上記要求を受信した場合、上記条件受信手段にて受信した上記情報配信事業者特定情報にて特定された上記情報配信事業者の上記排出権量記憶手段に記憶された上記排出量から、上記排出量算出手段により算出された、上記要求に基づく上記経路を利用した場合に排出される上記排出量を差し引く排出量償却手段と、
上記排出量償却手段にて差し引いた上記排出量を少なくとも上記情報処理端末に送信することにより上記表示部に表示させる償却結果表示手段と、
を備えたことを特徴とする、経路探索装置。
【請求項２】
請求項１に記載の経路探索装置において、
上記制御部は、
上記情報処理端末から送信される位置情報を検出し、上記情報処理端末が上記出発地または上記目的地として指定された上記興味対象場所にあることを確認する指定地点確認手段
を更に備え、
上記排出量償却手段は、
上記指定地点確認手段にて上記情報処理端末が上記興味対象場所にあることの確認が取れない場合、上記排出量償却手段により差し引いた上記排出量を取り消すことを特徴とする、経路探索装置。
【請求項３】
請求項１または２に記載の経路探索装置において、
上記排出権量記憶手段は、
上記情報配信事業者ごとに上記温室効果ガスの上記排出量を、排出権の売買単位の１単位毎に記憶し、
上記排出量償却手段は、
上記経路選択受信手段にて複数の上記情報処理端末が、上記要求を上記経路探索装置へ送信した場合、上記排出量算出手段にて当該要求に基づく上記経路ごとに算出された複数の上記排出量の積算量を計算する排出量積算手段と、
上記排出量積算手段にて計算された上記積算量と、上記排出権量記憶手段に記憶された上記１単位の上記排出量とを比較し、上記積算量が上記１単位の上記排出量を上回るかを判定する積算量判定手段と、
を更に備えたことを特徴とする、経路探索装置。
【請求項４】
請求項３の経路探索装置において、
上記排出権量記憶手段は、
上記情報配信事業者の購入済みまたは購入予定の上記温室効果ガスの上記排出量を、排出権の売買単位の１単位毎に記憶し、
上記排出量償却手段は、
上記積算量判定手段にて上記積算量が上回ると判定された場合、
上記積算量から上記１単位分の上記排出量を差し引き、
上記積算量の上記１単位分の上記排出量が差し引かれた場合、上記排出権の購入要求通知を上記情報配信事業者へ送信する購入要求手段、
を更に備えたことを特徴とする、経路探索装置。
【請求項５】
請求項３の経路探索装置において、
上記償却結果表示手段は、
上記積算量判定手段にて上記積算量が上回ると判定された場合、
上記経路作成手段にて作成された上記経路情報の上記情報処理端末への送信を停止する旨の通知を、上記情報処理端末に送信することにより上記表示部に表示させることを特徴とする、経路探索装置。
【請求項６】
請求項３の経路探索装置において、
上記償却結果表示手段は、
上記積算量判定手段にて上記積算量が上回ると判定された場合、
上記排出量償却手段にて上記排出量が差し引かれなかった上記経路に対して上記表示部にて表示される表示内容および表示方法を上記排出量償却手段にて上記排出量が差し引かれなかった旨に変更して表示させることを特徴とする、経路探索装置。
【請求項７】
請求項３の経路探索装置において、
上記償却結果表示手段は、
上記積算量判定手段にて上記積算量が上回ると判定された場合、
上記温室効果ガスを所定値以上排出する上記交通機関を使わない経路探索に変更した旨の通知を、上記情報処理端末に送信することにより上記表示部に表示させることを特徴とする、経路探索装置。
【請求項８】
請求項１から７のいずれか一つに記載の経路探索装置において、
上記記憶部は、
上記情報配信事業者ごとに、上記経路情報、上記排出量算出手段にて算出された経路情報の上記経路を利用した場合に排出される上記排出量、および、上記排出量償却手段にて差し引かれた上記排出量の少なくとも一部または全部を関連付けた履歴情報を記憶する履歴情報記憶手段
を更に備え、
上記経路探索結果表示手段は、
上記経路情報、および／または、上記排出量算出手段にて算出された経路情報の上記経路を利用した場合に排出される上記排出量を上記情報配信事業者ごとに上記履歴情報記憶手段に格納し、
上記償却結果表示手段は、
上記排出量償却手段にて差し引かれた上記排出量を上記情報配信事業者ごとに上記履歴情報記憶手段に格納することを特徴とする、経路探索装置。
【請求項９】
カーボンオフセットを希望する情報配信事業者に対するエンドユーザが所持する入力部と表示部とを少なくとも備える情報処理端末に、ネットワークを介して通信可能に接続された制御部と記憶部とを少なくとも備える経路探索装置において実行される経路探索方法であって、
上記記憶部は、
交通機関の時刻表データと道路網データとを少なくとも含む経路探索情報を記憶する経路探索情報記憶手段と、
上記交通機関ごとの一定距離あたりの温室効果ガスの排出量の算定基準を記憶した排出量算定基準記憶手段と、
上記情報配信事業者ごとに上記温室効果ガスの排出量を記憶する排出権量記憶手段と、
を備え、
上記制御部において実行される、
上記情報処理端末の上記入力部を介して入力された、上記情報配信事業者が配信する興味対象場所である、出発地および目的地、ならびに、上記情報配信事業者を特定する情報配信事業者特定情報を上記情報処理端末から受信する条件受信ステップと、
上記条件受信ステップにて受信した上記出発地から上記目的地までの経路の経路情報を、上記経路探索情報記憶手段に記憶された上記経路探索情報を用いて作成する経路作成ステップと、
上記排出量算定基準記憶手段に記憶された上記算定基準を用いて、上記経路作成ステップにて作成された上記経路情報の上記経路を利用した場合に排出される上記排出量を算出する排出量算出ステップと、
上記経路作成ステップにて作成された上記経路情報と、上記排出量算出ステップにて算出された上記排出量とを、上記情報処理端末に送信することにより上記表示部に表示させる経路探索結果表示ステップと、
上記経路探索結果表示ステップにて上記情報処理端末の上記表示部に表示された上記経路情報と上記排出量とに基づき、上記情報処理端末の上記入力部を介して選択された上記経路情報の上記経路を利用した場合に排出される上記排出量を差し引く要求を上記情報処理端末から受信する経路選択受信ステップと、
上記経路選択受信ステップにて上記要求を受信した場合、上記条件受信ステップにて受信した上記情報配信事業者特定情報にて特定された上記情報配信事業者の上記排出権量記憶手段に記憶された上記排出量から、上記排出量算出ステップにて算出された、上記要求に基づく上記経路を利用した場合に排出される上記排出量を差し引く排出量償却ステップと、
上記排出量償却ステップにて差し引いた上記排出量を少なくとも上記情報処理端末に送信することにより上記表示部に表示させる償却結果表示ステップと、
を含むことを特徴とする、経路探索方法。
【国際調査報告】
2009157089.tif 000009
2009157089.tif 000010
2009157089.tif 000011
2009157089.tif 000012